(57)【要約】【課題】技領域の遊技球と接触した球戻り防止部材の動きで、次に遊技領域に導入される遊技球の移動に変化を与えることを防止可能な遊技台を提供する。【解決手段】本発明に係る遊技台は、発射装置により発射された遊技球１０１を誘導する誘導部２０５と、誘導部２０５により誘導された遊技球１０１を遊技領域１２４に導入する導入部２０５ａと、遊技領域１２４に導入された遊技球が導入部２０５ａから誘導部２０５に戻ることを防止する逆流防止手段３００と、遊技領域１２４に設けられた入賞口と、入賞口に遊技球１０１が入賞した場合に遊技者に利益を付与する利益付与手段と、を備えた遊技台であって、遊技領域１２４内の遊技球１０１が逆流防止手段３００に接触することを防止する接触防止手段３４０を、逆流防止手段３００から離間した位置に設けている。【選択図】図６
2011067496.tif 000002
【特許請求の範囲】
【請求項１】
発射装置により発射された遊技球を誘導する誘導部と、
前記誘導部により誘導された遊技球を遊技領域に導入する導入部と、
前記遊技領域に導入された遊技球が前記導入部から前記誘導部に戻ることを防止する逆流防止手段と、
前記遊技領域に設けられた入賞口と、
前記入賞口に遊技球が入賞した場合に遊技者に利益を付与する利益付与手段と、を備えた遊技台であって、
前記遊技領域内の遊技球が前記逆流防止手段に接触することを防止する接触防止手段を、前記逆流防止手段から離間した位置に設けたことを特徴とする、
遊技台。
【請求項２】
前記誘導部により誘導された遊技球が接触することで、所定の回転中心で回転して前記導入部を開放する動作を行なう防止片と、
前記防止片を前記導入部を閉鎖した姿勢で維持する姿勢維持部と、を前記逆流防止手段は含んで構成され、
前記接触防止手段は、遊技球が前記姿勢維持部に接触することを防止することを特徴とする、
請求項１に記載の遊技台。
【請求項３】
遊技球が前記姿勢維持部に接触することを防止する第１の接触防止部と、
遊技球が前記第１の接触防止部に接触することを防止する第２の接触防止部と、から前記接触防止手段が構成されていることを特徴とする、
請求項２に記載の遊技台。
【請求項４】
前記遊技領域に導入された遊技球と接触して該遊技球が前記導入部から前記誘導部に戻ることを防止する接触部と、
前記回転中心を挟んで前記接触部の反対側に、前記防止片を前記導入部を閉鎖する方向に付勢するための重り部と、を含んで前記防止片が構成され、
前記誘導部により誘導された遊技球が前記逆流防止手段に接触すると、所定の回転中心で回転して前記導入部を開放するとともに、前記重り部が前記誘導部に侵入するように構成したことを特徴とする、
請求項２乃至３のいずれかに記載の遊技台。
【請求項５】
移動する遊技球の移動方向を変化させる複数の遊技釘を前記遊技領域に設け、
前記複数の遊技釘のうちの１または複数の遊技釘により前記接触防止手段が構成されていることを特徴とする、
請求項１乃至４のいずれかに記載の遊技台。
【発明の詳細な説明】
【技術分野】
【０００１】
本発明は、パチンコ機やスロットマシンに代表される遊技台に関する。
【背景技術】
【０００２】
従来、パチンコ機では、遊技盤の遊技領域に、遊技球が入賞（入球）可能な入賞口および始動口を設けており、これらの入賞口および始動口に遊技球が入賞した場合に、遊技者に対して特典を付与するようにしている。
【０００３】
このようなパチンコ機では、遊技者の操作する発射装置から打ち出された遊技球は、外レールおよび内レールから形成される発射球通路（誘導部）を通過して遊技領域に導入されるようになっている。そして、この発射球通路の出口部分（導入部）には、遊技領域に導入された遊技球が発射通路に戻らないようにするための球戻り防止部材が設けられている（例えば、特許文献１参照）。
【先行技術文献】
【特許文献】
【０００４】
【特許文献１】特開２００８−２７２１５７号公報
【発明の概要】
【発明が解決しようとする課題】
【０００５】
この球戻り防止部材は、遊技領域を圧迫しないように、なるべくコンパクトに構成することが望まれている。しかしながら、振り子状に揺動する可動部を備えた球戻り防止部材をコンパクトに構成した場合、遊技領域を転動する遊技球が可動部に接触することにより、可動部が揺動して発射通路内に突出し、発射通路内の遊技球の進行が阻害されるという問題があった。
【０００６】
また、可動部に遊技球を接触させないために、防護壁を備えた球戻り防止部材は従来存在していたが、遊技球の接触による防護壁の振動が可動部に伝わってしまうため、結果として上記問題を完全に解決できるものではなかった。
【０００７】
本発明は、このような問題点を解決するためになされたものであって、遊技領域の遊技球と接触した球戻り防止部材の動きで、次に遊技領域に導入される遊技球の移動に変化を与えることを防止可能な遊技台を提供しようとするものである。
【課題を解決するための手段】
【０００８】
本発明は、発射装置により発射された遊技球を誘導する誘導部と、前記誘導部により誘導された遊技球を遊技領域に導入する導入部と、前記遊技領域に導入された遊技球が前記導入部から前記誘導部に戻ることを防止する逆流防止手段と、前記遊技領域に設けられた入賞口と、前記入賞口に遊技球が入賞した場合に遊技者に利益を付与する利益付与手段と、を備えた遊技台であって、前記遊技領域内の遊技球が前記逆流防止手段に接触することを防止する接触防止手段を、前記逆流防止手段から離間した位置に設けたことを特徴とする、遊技台である。
【発明の効果】
【０００９】
本発明に係る遊技台によれば、遊技領域の遊技球と接触した球戻り防止部材の動きで、次に遊技領域に導入される遊技球の移動に変化を与えることを防止可能という優れた効果を奏し得る。
【図面の簡単な説明】
【００１０】
【図１】パチンコ機を正面側（遊技者側）から見た外観斜視図である。
【図２】同パチンコ機を背面側から見た外観図である。
【図３】遊技盤を正面から見た略示正面図である。
【図４】（ａ）および（ｂ）従来の球戻り防止部材の問題点を示した図である。
【図５】第１の実施形態の揺動部材および支持部材の構成を示す分解斜視図である。
【図６】（ａ）および（ｂ）第１の実施形態の球戻り部材の配置および作動を示した図である。
【図７】（ａ）および（ｂ）第２の実施形態の球戻り防止部材およびその周辺の構成を示した図である。
【図８】防護壁を演出装置と一体的に構成した例を示した図である。
【図９】（ａ）および（ｂ）第３の実施形態の球戻り防止部材およびその周辺の構成および作動を示した図である。
【図１０】図９（ｂ）のＡ−Ａ'線断面図である。
【図１１】第４の実施形態の球戻り防止部材および防護部の構成を示した図である。
【発明を実施するための形態】
【００１１】
以下、図面を用いて、本発明の実施形態に係る遊技台（例えば、パチンコ機１００等の弾球遊技機やスロット機等の回胴遊技機）について詳細に説明する。
【００１２】
＜全体構成＞
まず、図１を用いて、本発明の第１の実施形態に係るパチンコ機１００の全体構成について説明する。なお、同図はパチンコ機１００を正面側（遊技者側）から見た外観斜視図である。
【００１３】
パチンコ機１００は、外部的構造として、外枠１０２と、本体１０４と、前面枠扉１０６と、球貯留皿付扉１０８と、発射装置１１０と、遊技盤２００と、をその前面に備える。
【００１４】
外枠１０２は、遊技機設置営業店に設けられた設置場所（島設備等）へと固定させるための縦長方形状から成る木製の枠部材である。
【００１５】
本体１０４は、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。
【００１６】
前面枠扉１０６は、ロック機能付きで且つ開閉自在となるようにパチンコ機１００の前面側となる本体１０４の前面に対しヒンジ部１１２を介して装着され、枠状に構成されることでその内側を開口部１１６とした扉部材である。なお、この前面枠扉１０６には、開口部１１６にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。
【００１７】
球貯留皿付扉１０８は、パチンコ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６の演出態様に変化を与えるチャンスボタン１３６と、チャンスボタン１３６を発光させるチャンスボタンランプ１３８と、遊技店に設置されたカードユニット（ＣＲユニット）に対して球貸し指示を行う球貸操作ボタン１４０と、カードユニットに対して遊技者の残高の返却指示を行う返却操作ボタン１４２と、遊技者の残高やカードユニットの状態を表示する球貸表示部１４４と、を備える。
【００１８】
発射装置１１０は、本体１０４の下方に取り付けられ、球発射ハンドル１３４が遊技者に操作されることによって回動する発射杆１４６と、遊技球を発射杆１４６の先端で打突する発射槌１４８と、を備える。
【００１９】
遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部１１６から観察することができる。
【００２０】
図２は、図１のパチンコ機１００を背面側から見た外観図である。パチンコ機１００の背面上部には、上方に開口した開口部を有し、遊技球を一時的に貯留するための球タンク１５０と、この球タンク１５０の下方に位置し、球タンク１５０の底部に形成した連通孔を通過して落下する球を背面右側に位置する払出装置１５２に導くためのタンクレール１５４とを配設している。
【００２１】
払出装置１５２は、筒状の部材からなり、その内部には、不図示の払出モータとスプロケットと払出センサとを備えている。
【００２２】
スプロケットは、払出モータによって回転可能に構成されており、タンクレール１５４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００２３】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を払出制御部へ出力する。なお、この払出センサを通過した遊技球は、不図示の球レールを通過してパチンコ機１００の表側に配設した上皿１２６に到達するように構成しており、パチンコ機１００は、この構成により遊技者に対して球の払い出しを行う。
【００２４】
払出装置１５２の図中左側には、遊技全般の制御処理を行う主制御部を構成する主基板１５６を収納する主基板ケース１５８、主制御部が生成した処理情報に基づいて演出に関する制御処理を行う第１副制御部を構成する第１副基板１６０を収納する第１副基板ケース１６２、第１副制御部が生成した処理情報に基づいて演出に関する制御処理を行う第２副制御部を構成する第２副基板１６４を収納する第２副基板ケース１６６、遊技球の払出に関する制御処理を行う払出制御部を構成するとともに遊技店員の操作によってエラーを解除するエラー解除スイッチ１６８を備える払出基板１７０を収納する払出基板ケース１７２、遊技球の発射に関する制御処理を行う発射制御部を構成する発射基板１７４を収納する発射基板ケース１７６、各種電気的遊技機器に電源を供給する電源管理部を構成するとともに遊技店員の操作によって電源をオンオフする電源スイッチ１７８と電源投入時に操作されることによってＲＷＭクリア信号を主制御部に出力するＲＷＭクリアスイッチ１８０とを備える電源基板１８２を収納する電源基板ケース１８４、および払出制御部とカードユニットとの信号の送受信を行うＣＲインタフェース部１８６を配設している。
【００２５】
図３は、遊技盤２００を正面から見た略示正面図である。遊技盤２００には、外レール２０２と内レール２０４とを配設し、遊技球が転動可能な遊技領域１２４を区画形成している。
【００２６】
外レール２０２と内レール２０４の間は、発射装置１１０により打ち出された遊技球を遊技領域１２４に誘導する発射球通路２０５となっている。発射球通路２０５の出口部分、具体的には、内レール２０４の先端部には遊技領域１２４内の遊技球が発射球通路２０５に戻るのを防ぐ球戻り防止部材３００が設けられている。球戻り防止部材３００の詳細については後述する。
【００２７】
遊技領域１２４の略中央には、演出装置２０６を配設している。この演出装置２０６には、略中央に装飾図柄表示装置２０８を配設し、その周囲に、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２を配設している。なお、以下、普通図柄を「普図」、特別図柄を「特図」と称する場合がある。
【００２８】
演出装置２０６は、演出可動体２２４を動作して演出を行うものであり、詳細については後述する。
【００２９】
装飾図柄表示装置２０８は、装飾図柄ならびに演出に用いる様々な表示を行うための表示装置であり、本実施例では液晶表示装置（Ｌｉｑｕｉｄ  Ｃｒｙｓｔａｌ  Ｄｉｓｐｌａｙ）によって構成する。この装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００３０】
普図表示装置２１０は、普図の表示を行うための表示装置であり、本実施例では７セグメントＬＥＤによって構成する。第１特図表示装置２１２および第２特図表示装置２１４は、特図の表示を行うための表示装置であり、本実施例では７セグメントＬＥＤによって構成する。
【００３１】
普図保留ランプ２１６は、保留している普図変動遊技（詳細は後述）の数を示すためのランプであり、本実施例では、普図変動遊技を所定数（例えば、２つ）まで保留することを可能としている。第１特図保留ランプ２１８および第２特図保留ランプ２２０は、保留している特図変動遊技（詳細は後述）の数を示すためのランプであり、本実施例では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００３２】
また、この演出装置２０６の周囲には、一般入賞口２２６と、普図始動口２２８と、第１特図始動口２３０と、第２特図始動口２３２と、可変入賞口２３４を配設している。
【００３３】
一般入賞口２２６は、本実施例では遊技盤２００に複数配設しており、この一般入賞口２２６への入球を所定の遊技球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。なお、一般入賞口２２６に入球した球は、パチンコ機１００の裏側に誘導した後、遊技島側に排出する。本実施形態では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００３４】
普図始動口２２８は、ゲートやスルーチャッカーと呼ばれる、遊技領域１２４の所定の領域を球が通過したか否かを判定するための装置で構成しており、本実施例では遊技盤２００の左側に１つ配設している。普図始動口２２８を通過した球は一般入賞口２２６に入球した球と違って、遊技島側に排出することはない。球が普図始動口２２８を通過したことを所定の遊技球検出センサが検出した場合、パチンコ機１００は、普図表示装置２１０による普図変動遊技を開始する。
【００３５】
第１特図始動口２３０は、本実施形態では遊技盤２００の中央に１つだけ配設している。この第１特図始動口２３０への入球を所定の遊技球検出センサが検出した場合、後述する払出装置１５２を駆動し、所定の個数（例えば、３個）の球を賞球として上皿１２６に排出するとともに、第１特図表示装置２１２による特図変動遊技を開始する。なお、第１特図始動口２３０に入球した球は、パチンコ機１００の裏側に誘導した後、遊技島側に排出する。
【００３６】
第２特図始動口２３２は、電動チューリップ（電チュー）と呼ばれ、本実施形態では第１特図始動口２３０の真下に１つだけ配設している。この第２特図始動口２３２は、左右に開閉自在な羽根を備え、羽根の閉鎖中は球の入球が不可能であり、普図変動遊技に当選し、普図表示装置２１０が当たり図柄を停止表示した場合に羽根が所定の時間間隔、所定の回数で開閉する。第２特図始動口２３２への入球を所定の遊技球検出センサが検出した場合、払出装置１５２を駆動し、所定の個数（例えば、４個）の球を賞球として上皿１２６に排出するとともに、第２特図表示装置２１４による特図変動遊技を開始する。なお、第２特図始動口２３２に入球した球は、パチンコ機１００の裏側に誘導した後、遊技島側に排出する。
【００３７】
可変入賞口２３４は、大入賞口またはアタッカーと呼ばれ、本実施例では遊技盤２００の中央部下方に１つだけ配設している。この可変入賞口２３４は、開閉自在な扉部材を備え、扉部材の閉鎖中は球の入球が不可能であり、特図変動遊技に当選して特図表示装置２１２、２１４が大当たり図柄を停止表示した場合に扉部材が所定の時間間隔（例えば、開放時間２９秒、閉鎖時間１．５秒）、所定の回数（例えば１５回）で開閉する。可変入賞口２３４への入球を所定の遊技球検出センサが検出した場合、払出装置１５２を駆動し、所定の個数（例えば、１５個）の球を賞球として上皿１２６に排出する。なお、可変入賞口２３４に入球した球は、パチンコ機１００の裏側に誘導した後、遊技島側に排出する。
【００３８】
さらに、これらの入賞口や始動口の近傍には、風車と呼ばれる円盤状の打球方向変換部材２３６や、遊技釘２３８を複数個、配設していると共に、内レール２０４の最下部には、いずれの入賞口や始動口にも入賞しなかった球をパチンコ機１００の裏側に誘導した後、遊技島側に排出するためのアウト口２４０を設けている。
【００３９】
このパチンコ機１００は、遊技者が上皿１２６に貯留している球を発射レールの発射位置に供給し、遊技者の操作ハンドルの操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（第１特図始動口２３０、第２特図始動口２３２）に入賞するか、いずれの入賞口や始動口にも入賞することなく、または普図始動口２２８を通過するのみでアウト口２４０に到達する。
【００４０】
＜演出装置２０６＞
次に、パチンコ機１００の演出装置２０６について説明する。
【００４１】
この演出装置２０６の前面側には、遊技球の転動可能な領域にワープ装置２４２およびステージ２４４を配設し、遊技球の転動不可能な領域に演出可動体２２４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽装置２４６は、ワープ装置２４２、ステージ２４４、および演出可動体２２４の後方に位置することとなる。
【００４２】
ワープ装置２４２は、演出装置２０６の左上方に設けたワープ入口２４２ａに入った遊技球を演出装置２０６の前面下方のステージ２４４にワープ出口２４２ｂから排出する。
【００４３】
ステージ２４４は、ワープ出口２４２ｂから排出された球や遊技盤２００の釘などによって乗り上げた球などが転動可能であり、ステージ２４４の中央部には、通過した球が第１特図始動口２３０へ入球し易くなるスペシャルルート２４４ａを設けている。
【００４４】
演出可動体２２４は、本実施形態では人間の右腕の上腕と前腕を模した上腕部２２４ａと前腕部２２４ｂとからなり、肩の位置に上腕部２２４ａを回動させる不図示の上腕モータと肘の位置に前腕部２２４ｂを回動させる不図示の前腕モータを備える。演出可動体２２４は、上腕モータと前腕モータによって装飾図柄表示装置２０８の前方を移動する。
【００４５】
遮蔽装置２４６は、格子状の左扉２４６ａおよび右扉２４６ｂからなり、装飾図柄表示装置２０８および前面ステージ２４４の間に配設する。左扉２４６ａおよび右扉２４６ｂの上部には、不図示の２つのプーリに巻き回したベルトをそれぞれ固定している。すなわち、左扉２４６ａおよび右扉２４６ｂは、モータによりプーリを介して駆動するベルトの動作に伴って左右にそれぞれ移動する。遮蔽装置２４６は、左扉２４６ａおよび右扉２４６ｂを閉じた状態ではそれぞれの内側端部が重なり、遊技者が装飾図柄表示装置２０８を視認し難いように遮蔽する。左扉２４６ａおよび右扉２４６ｂを開いた状態ではそれぞれの内側端部が装飾図柄表示装置２０８の表示画面の外側端部と若干重なるが、遊技者は装飾図柄表示装置２０８の表示の全てを視認可能である。また、左扉２４６ａおよび右扉２４６ｂは、それぞれ任意の位置で停止可能であり、例えば、表示した装飾図柄がどの装飾図柄であるかを遊技者が識別可能な程度に、装飾図柄の一部だけを遮蔽するようなことができる。なお、左扉２４６ａおよび右扉２４６ｂは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００４６】
＜球戻り防止部材＞
次に、図４〜６を用いて、球戻り防止部材３００について説明する。
【００４７】
まず、図４（ａ）および（ｂ）を用いて、従来の球戻り防止部材４００の問題点について説明する。なお、同図（ａ）および（ｂ）は、従来の球戻り防止部材４００の問題点を示した図である。
【００４８】
従来の球戻り防止部材４００は、例えば同図に示されるように、遊技盤２００の内レール２０４の先端近傍に揺動可能に設けられた揺動部材４１０と、遊技球１０１が揺動部材４１０に接触するのを防止する防護壁４２２と、揺動部材４１０の待機状態での姿勢を維持する姿勢維持部４２４から構成されている。
【００４９】
揺動部材４１０は、長円形断面の振り子部４１２と、振り子部４１２の一端から突設された舌片状の球戻り防止部４１４から構成されている。振り子部４１２の球戻り防止部４１４側の端部には揺動部材４１０を揺動可能に支持する支軸４１６が挿入され、反対側の端部には錘が内部に収容されている。従って、揺動部材４１０は、外部から力が加えられない限り、重力によって球戻り防止部４１４を上にし、振り子部４１２を下にした状態を維持するようになっている。
【００５０】
防護壁４２２は、内レール２０４と一体的に構成され、揺動部材４１０の振り子部４１２の遊技領域１２４側を囲むように構成されている。姿勢維持部４２４は、防護壁４２２の揺動部材４１０側の面に突設されており、振り子部４１２に当接することで揺動部材４１０の待機状態での姿勢を維持する。
【００５１】
揺動部材４１０は、振り子部４１２内に収容された錘に働く重力によって姿勢維持部４２４に当接し、同図（ａ）に示す待機状態の姿勢を維持するようになっている。待機状態では、同図（ａ）に示されるように、球戻り防止部４１４の先端と外レール２０２の間の隙間Ａが遊技球の直径以下となっている。従って、発射装置１１０により打ち出され、発射球通路２０５を通過してきた遊技球１０１は、球戻り防止部４１４に衝突して揺動部材４１０を図の時計回りに揺動させることによって隙間Ａを押し広げ、遊技領域１２４内に進入する。従って、外レール２０２と球戻り防止部材４００の間の領域は、遊技球１０１を遊技領域１２４に導入するための導入部２０５ａとなっている。一方、遊技領域１２４から発射球通路２０５（導入部２０５ａ）に進入しようとする遊技球１０１は、球戻り防止部４１４に衝突した場合に図の反時計回りに揺動部材４１０を揺動させることになり、姿勢維持部４２４によって揺動が抑止されるため、発射球通路２０５への進入が阻止されるようになっている。
【００５２】
遊技領域１２４は可能な限り広く構成することが好ましいため、球戻り防止部材４００は、コンパクトに構成することが望ましい。従って、この例の球戻り防止部材４００では、球戻り防止部４１４を振り子部４１２の長手方向に対して角度を有するように突設させることで揺動部材４１０を略Ｖ字形状に構成すると共に、待機状態において振り子部４１２の長手方向が内レール２０４の先端に略沿うように姿勢維持部４２４を設定している。このようにすることで、球戻り防止部材４００の遊技領域１２４への突出量を少なくし、遊技領域１２４を圧迫しないようにすることができる。
【００５３】
しかしながら、このように構成した球戻り防止部材４００では、同図（ａ）に示されるように、遊技領域１２４を転動する遊技球が防護壁４２２に衝突した場合に、姿勢維持部４２４を介してその衝撃や振動が揺動部材４１０に伝わり、揺動部材４１０が揺動してしまうことがあった。そして、待機状態において振り子部４１２の長手方向が内レール２０４の先端に略沿うようにしていることから、このようにして揺動部材４１０が揺動した場合に、同図（ｂ）に示されるように、振り子部４１２が発射球通路２０５内に突出（侵入）して振り子部４１２の先端と外レール２０２の隙間Ｂが遊技球の直径Ｃ以下となり、発射球通路２０５を通過する遊技球１０１の進行を妨げることがあった。
【００５４】
このようにして発射球通路２０５内の遊技球１０１の進行が妨げられると、遊技領域１２４への遊技球の打ち出しが一時的に途絶えて遊技の進行が阻害されるため、遊技者に不快感を抱かせる場合がある。また、遊技者が意図したタイミングで遊技球１０１が打ち出されない場合には、遊技者に不利益を与える結果となることもある。
【００５５】
また、揺動部材４１０、が可動した際に発射球通路２０５内に振り子部４１２が突出しないように揺動部材４１０の可動角度を制限したり、球戻り防止部４１４と振り子部４１２との間に屈曲を備えずに形成したりといった対処は可能であるが、その場合、遊技領域１２４から発射球通路２０５へと逆流する遊技球１０１を防げなくなるといった問題や、球戻り防止部材４００の形状変更に伴うその他部材の形状変更およびレイアウト変更によるコストの増加や、遊技領域１２４を圧迫するといった問題が新たに生じていた。
【００５６】
このため、本実施形態の球戻り防止部材３００では、以下に述べるように、遊技領域１２４内の遊技球１０１が発射球通路２０５内の遊技球の進行に影響を及ぼさないように構成している。
【００５７】
次に、図５および６を用いて、本実施形態の球戻り防止部材３００について説明する。なお、図５は本実施形態の揺動部材３１０および支持部材３２０の構成を示す分解斜視図であり、図６（ａ）および（ｂ）は本実施形態の球戻り部材３００の配置および作動を示した図である。
【００５８】
図５に示されるように、球戻り部材３００は、揺動可能な揺動部材３１０と、揺動部材３１０を支持する支持部材３２０から構成されている。
【００５９】
揺動部材３１０は、長円形断面の振り子部３１２と、振り子部３１２の一端から突設された舌片状の球戻り防止部３１４から構成されている。振り子部３１２の球戻り防止部３１４側の端部には挿入孔３１１が設けられている。また、振り子部３１２の球戻り防止部３１４の反対側の端部は中空状に形成されており、その内部には錘３１５が収容される。支持部材３２０は、平板にコの字状の防護壁３２２、および棒状の支軸３１６を突設して構成されており、防護壁３２２の内側面には姿勢維持部３２４が突設されている。
【００６０】
揺動部材３１０は、支軸３１６を挿入孔３１１内に挿入すると共に、抜け止めの取付ピン３１６ａを支軸３１６の先端に固定することで、支持部材３２０に揺動可能に取付けられる。
【００６１】
図６（ａ）および（ｂ）に示されるように、支持部材３２０は、ネジ３３０によって遊技盤２００の内レール２０２の先端近傍に固定され、揺動部材３１０は、支軸３１６に揺動可能に取付けられる。揺動部材３１０は、外部から力が加えられない限り、重力によって球戻り防止部３１４を上にし、振り子部３１２の側面が姿勢維持部３２４に当接した状態（待機状態）を維持するようになっている。
【００６２】
同図（ａ）に示されるように、待機状態では、球戻り防止部３１４の先端と外レール２０２の間の隙間が遊技球の直径以下となっている。発射装置１１０により打ち出され、発射球通路２０５を通過してきた遊技球１０１は、同図（ｂ）に示されるように、球戻り防止部３１４に衝突して揺動部材３１０を図の時計回りに揺動させて、遊技領域１２４内に進入する。従って、外レール２０２と球戻り防止部材３００の間の領域は、遊技球１０１を遊技領域１２４に導入するための導入部２０５ａとなっている。なお、揺動部材３１０の図の時計回りの揺動は、防護壁３２２の先端に球戻り防止部３１４の側面が当接することにより規制される。
【００６３】
一方、遊技領域１２４から発射球通路２０５（導入部２０５ａ）に進入しようとする遊技球１０１は、姿勢維持部３２４によって揺動部材３１０の図の反時計回りの揺動が抑制されるため、発射球通路２０５への進入が阻止される。
【００６４】
本実施形態の球戻り防止部材３００でも、遊技領域１２４を圧迫しないように、球戻り防止部３１４を振り子部３１２の長手方向に対して角度を有するように突設させることで揺動部材３１０を略Ｖ字形状に構成している（すなわち、球戻り防止部３１４と振り子部３１２の間に屈曲を備えている）ため、揺動部材３１０は、同図（ａ）に示す待機状態において振り子部３１２の長手方向が内レール２０４の先端に略沿った状態となる。このため、従来の球戻り防止部材４００と同様に、遊技領域１２４を転動する遊技球１０１が防護壁３２２に衝突した場合に、揺動部材３１０が揺動して振り子部３１２が発射球通路２０５内に突出（侵入）する可能性がある。
【００６５】
そこで、本実施形態では、防護壁３２２の遊技領域１２４側の近傍に７つの遊技釘２３８を配置することによって防護柵３４０を構成し、この防護柵３４０によって、遊技領域１２４を転動する遊技球１０１が防護壁３２２に衝突することを防止している。この防護柵３４０を構成する７つの遊技釘２３８は、遊技球１０１の直径以下の間隔で、防護壁３２２から離間した位置（防護壁３２２と接触しない位置）に配置されている。
【００６６】
本実施形態では、この防護柵３４０を遊技釘２３８から構成することによって、防護柵３４０を安価に実現すると共に、遊技領域１２４内の雰囲気を統一することで外観を損ねないようにしている。また、遊技釘２３８を遊技球の直径以下の間隔で配置することにより、遊技球１０１が姿勢維持部３２４が設けられた防護壁３２２に衝突しないようにすると共に、遊技釘２３８を防護壁３２２から離間させて配置することにより、同図（ｂ）に示されるように、遊技球１０１の衝突による衝撃や振動が姿勢維持部３２４に伝わらないようにしている。すなわち、遊技領域１２４を転動する遊技球１０１が球戻り防止部材３００に衝突することによって、発射球通路２０５内を通過する遊技球１０１の進行を妨げることがないようにしている。
【００６７】
さらに、本実施形態では、支持部材３２０を内レール２０４とは別体に構成すると共に内レール２０４から離間させて配置することによって、遊技領域１２４を転動する遊技球１０１が内レール２０４に衝突した場合にも、その衝撃や振動によって揺動部材３１０が揺動することがないようにしている。
【００６８】
なお、本実施形態では、揺動部材３１０の振り子部３１２を防護壁３２２から突設させた姿勢維持部３２４に当接させることで待機状態の姿勢を維持しているが、本実施形態はこれに限定されるものではなく、例えば、振り子部３１２を適宜の位置に配置した遊技釘２３８に当接させることで揺動部材３１０の待機状態の姿勢を維持するようにしてもよい。また、本実施形態では、振り子部３１２内部に収容した錘３１５に働く重力によって振り子部３１２を姿勢維持部３２４に向けて付勢しているが、本実施形態はこれに限定されるものではなく、例えば、板バネやつる巻きバネにより振り子部３１２を姿勢維持部３２４に向けて付勢するようにしてもよい。
【００６９】
＜第２の実施形態＞
次に、図７および８を用いて、本発明の第２の実施形態について説明する。なお、第２の実施形態に係るパチンコ機は、球戻り防止部材５００およびその周辺の構成以外は第１の実施形態と同一であるため、以下、球戻り防止部材５００およびその周辺の構成についてのみ説明する。
【００７０】
図７（ａ）および（ｂ）は、本実施形態の球戻り防止部材５００およびその周辺の構成を示した図である。同図に示されるように、球戻り防止部材５００は、揺動部材５１０および支持部材５２０から構成されている。
【００７１】
揺動部材５１０は、第１の実施形態と同一の構成であり、長円形断面の振り子部５１２と、振り子部５１２の一端から突設された舌片状の球戻り防止部５１４から構成されている。振り子部５１２の球戻り防止部５１４側の端部には挿入孔５１１が設けられている。また、振り子部５１２の球戻り防止部５１４の反対側の端部内には錘が収容されている。
【００７２】
支持部材５２０は、円盤状の基部５２０ａの中央部に支軸５１６が突設すると共に、基部５２０ａの外周部から半径方向外側に向けて腕部５２１が突設して構成されており、腕部５２１の先端部には、支軸５１６と同一方向に円柱状の姿勢維持部５２４が突設されている。
【００７３】
支持部材５２０は、内レール２０４の先端近傍に固定される。揺動部材３１０は、支軸５１６を挿入孔５１１内に挿入すると共に、抜け止めの取付ピン５１６ａを支軸５１６の先端に固定することで、支持部材５２０に揺動可能に取付けられる。揺動部材５１０は、同図（ｂ）に示されるように、外部から力が加えられない限り、重力によって球戻り防止部５１４を上にし、振り子部５１２の側面が姿勢維持部５２４に当接した状態（待機状態）を維持するようになっている。また、揺動部材５１０は、待機状態において振り子部５１２の長手方向が内レール２０４の先端に略沿った状態となる。
【００７４】
本実施形態では、さらに、球戻り防止部材５００の振り子部５１２および姿勢維持部５２４の遊技領域１２４側を囲むように構成した防護壁５２２を、揺動部材５１０および姿勢維持部５２４から離間させて配置している。これにより、遊技領域１２４を転動する遊技球１０１が防護壁５２２に衝突した場合の衝撃や振動が、揺動部材５１０および姿勢維持部５２４に伝わらないようにしている。すなわち、遊技領域１２４を転動する遊技球１０１が球戻り防止部材５００に衝突することによって、発射球通路２０５内を通過する遊技球１０１の進行を妨げることがないようにしている。
【００７５】
なお、図５（ａ）および（ｂ）に示した例では、防護壁５２２を内レール２０４と一体的に構成しているが、本実施形態はこれに限定されるものでなく、遊技盤２００に設けられた他の部材と一体的に構成するようにしてもよいし、他の部材とは独立して構成するようにしてもよい。
【００７６】
図８は、防護壁５２２を演出装置２０６と一体的に構成した例を示した図である。この例では、防護壁５２２は、演出装置２０６の端部に突設された接続部５２２ａを介して演出装置２０６と一体的に構成されている。
【００７７】
なお、図示は省略するが、本実施形態の防護壁５２２の近傍に、第１の実施形態の遊技釘２３８からなる防護柵３４０をさらに配置するようにしてもよい。この場合、より確実に、遊技球１０１の衝突による衝撃や振動を揺動部材５１０および姿勢維持部５２４に伝えないようにすることが可能となる。また、第１の実施形態と同様に、板バネやつる巻きバネにより振り子部５１２を姿勢維持部５２４に向けて付勢するようにしてもよい。
【００７８】
＜第３の実施形態＞
次に、図９および１０を用いて、本発明の第３の実施形態について説明する。なお、第３の実施形態に係るパチンコ機は、第２の実施形態の球戻り防止部材５００の姿勢維持部５２４に緩衝部５２４ａを設けると共に、球戻り防止部材５００の周辺に防護壁６２２を配置したものであり、これ以外は第１および第２の実施形態と同一である。このため、以下、防護壁６２２の構成についてのみ説明する。
【００７９】
図９（ａ）および（ｂ）は、本実施形態の球戻り防止部材５００およびその周辺の構成および作動を示した図である。本実施形態では、同図に示されるように、姿勢維持部５２４の振り子部５１２と当接する外周部にゴム等の弾性素材からなる緩衝部を設けている。また、球戻り防止部材５００の振り子部５１２および姿勢維持部５２４の遊技領域１２４側を囲むように構成した防護壁６２２を、揺動部材５１０および姿勢維持部５２４から離間させて配置している。
【００８０】
防護壁６２２は、第２の実施形態の防護壁５２２と略同一の形状に構成されている。また、この防護壁６２２は、同図（ａ）に示されるように、揺動した揺動部材５１０が当接する先端部に、ゴム等の弾性素材からなる緩衝部６２２ａを備えると共に、先端部の遊技盤２００側の一部分を外レール２０２に向けて突出させた重畳部６２２ｂを有している。この重畳部６２２ｂは、同図（ａ）および（ｂ）に示されるように、揺動部材５１０の球戻り防止部５１４の可動領域と重畳するように形成されている。また、重畳部６２２ｂは、待機状態の球戻り防止部５１４から右方向になだらかに下がるように傾斜をつけて構成されている。
【００８１】
図１０（ａ）および（ｂ）は、図９（ｂ）のＡ−Ａ'線断面図である。同図に示されるように、重畳部６２２ｂは、防護壁６２２先端の遊技盤２００側の一部分を外レール２０２に向けて突出させて形成されている。また、緩衝部６２２ａは、防護壁６２２先端の重畳部６２２ｂ以外の部分に設けられている。
【００８２】
同図（ａ）に示されるように、遊技球１０１が導入部２０５ａから遊技領域１２４に進入する際に揺動部材５１０を揺動させた場合、球戻り防止部５１４は、緩衝部６２２ａに当接する。そして、遊技球１０１が通過した後は、同図（ｂ）に示されるように、球戻り防止部５１４が緩衝部６２２ａから離れた待機状態となる。本実施形態では、球戻り防止部５１４と接触しないように重畳部６２２ｂを構成している。このようにすることで、揺動部材５１０をスムーズに揺動させると共に、防護壁６２２に遊技球１０１が衝突した場合の衝撃や振動を揺動部材５１０に伝えないようにすることが可能となる。
【００８３】
本実施形態では、重畳部６２２ｂを揺動部材５１０の球戻り防止部５１４の可動領域と重畳するように構成することで、図９（ｂ）に示されるように、遊技領域１２４から揺動部材５１０の球戻り防止部５１４に衝突した遊技球１０１を、球戻り防止部５１４と防護壁５２２の間に噛み込ませることなく、スムーズに下方に向けて誘導することを可能としている。
【００８４】
また、本実施形態では、姿勢維持部５２４および防護壁６２２の揺動部材５１０と当接する部分に、それぞれ緩衝部５２４ａ、６２２ａを設けることで、揺動部材５１０の当接時の衝撃を緩和するようにしている。このようにすることで、揺動部材５１０、姿勢維持部５２４および防護壁６２２を保護して耐久性を高めることが可能になる。さらに、当接時の反発力により揺動部材５１０が逆方向に揺動して、発射球通路２０５を通過する後続の遊技球１０１の進行を妨げないようにすることができる。
【００８５】
なお、図示は省略するが、本実施形態の防護壁５２２の近傍に、第１の実施形態の遊技釘２３８からなる防護柵３４０をさらに配置するようにしてもよい。この場合、より確実に、遊技球１０１の衝突による衝撃や振動を揺動部材５１０および姿勢維持部５２４に伝えないようにすることが可能となる。
【００８６】
＜第４の実施形態＞
次に、図１１を用いて、本発明の第４の実施形態について説明する。なお、第４の実施形態に係るパチンコ機は、第２の実施形態の球戻り防止部材５００の周辺に遊技釘２３８からなる防護部７２２を配置したものであり、これ以外は第１および第２の実施形態と同一である。このため、以下、防護部７２２の構成についてのみ説明する。
【００８７】
図１１は、本実施形態の球戻り防止部材５００および防護部７２２の構成を示した図である。本実施形態では、球戻り防止部材５００は、上記第２および第３の実施形態と同様に、内レール２０４の先端近傍に設けられている。そして、本実施形態では、球戻り防止部材５００の最右端（同図に示す直線Ｒ）よりも左側、且つ球戻り防止部材５００の最下端（同図に示す直線Ｂ）よりも下側の領域Ｓに、遊技釘２３８からなる防護部７２２を配置している。
【００８８】
本実施形態では、防護部７２２を少なくとも領域Ｓに配置することで、遊技領域１２４を流下する遊技球１０１がイレギュラーな転動（例えば、遊技釘２３８等に衝突して上方に跳ね上がる等）をした場合の球戻り防止部材５００への影響を排除することを可能としている。具体的には、揺動部材５１０が図の時計回りに揺動し、揺動部材５１０と姿勢維持部５２４の隙間および揺動部材５１０と内レール２０４先端の隙間が広がった場合に、これらの隙間に遊技球１０１が挟まってしまうことを防止している。
【００８９】
なお、同図に示す例では、１つの遊技釘２３８から防護部７２２を構成しているが、複数の遊技釘２３８から防護部７２２を構成するようにしてもよい。また、姿勢維持部５２４や振り子部５１２に遊技領域１２４の遊技球が衝突しないようにするための防護部７２２を、領域Ｓ以外の領域にさらに配置するようにしてもよい。
【００９０】
以上説明したように、上記各実施形態に係るパチンコ機１００は、発射装置１１０により発射された遊技球１０１を誘導する誘導部（上記実施形態では、発射球通路２０５）と、誘導部２０５により誘導された遊技球１０１を遊技領域１２４に導入する導入部２０５ａと、遊技領域１２４に導入された遊技球１０１が導入部２０５ａから誘導部２０５に戻ることを防止する逆流防止手段（上記実施形態では、球戻り防止部材３００、５００）と、遊技領域１２４に設けられた入賞口（上記実施形態では、例えば一般入賞口２２６等）と、入賞口に遊技球１０１が入賞した場合に遊技者に利益を付与する利益付与手段（上記実施形態では、例えば払出装置１５２等）と、を備えた遊技台であって、遊技領域１２４内の遊技球１０１が逆流防止手段３００、５００に接触することを防止する接触防止手段（第１の実施形態では防護柵３４０、第２、３の実施形態では防護壁５２２、６２２、第４の実施形態では防護部７２２）を、逆流防止手段３００、５００から離間した位置に設けている。
【００９１】
このような構成とすることで、遊技領域１２４の遊技球１０１と接触した逆流防止手段３００、５００の動きで、次に遊技領域１２４に導入される遊技球１０１の移動に変化を与えることを防止することができる場合がある。さらに、遊技領域１２４に導入される遊技球１０１の動きを安定化させることができる場合がある。
【００９２】
また、誘導部２０５により誘導された遊技球１０１が接触することで、所定の回転中心（上記実施形態では、支軸３１６、５１６）で回転して導入部２０５ａを開放する動作を行なう防止片（上記実施形態では、揺動部材３１０、５１０）と、防止片３１０、５１０を導入部２０５ａを閉鎖した姿勢で維持する姿勢維持部３２４、５２４と、を逆流防止手段３００、５００は含んで構成され、接触防止手段３４０、５２２、６２２、７２２は、遊技球が前記姿勢維持部３２４、５２４に接触することを防止している。
【００９３】
さらに、遊技球１０１が姿勢維持部３２４、５２４に接触することを防止する第１の接触防止部（第２、３の実施形態の防護壁５２２、６２２）と、遊技球１０１が第１の接触防止部５２２、６２２に接触することを防止する第２の接触防止部（第１の実施形態の防護柵３４０）と、から接触防止手段を構成するようにしてもよい。
【００９４】
このような構成とすることで、姿勢維持部３２４、５２４が予期せぬ動きをすることを防止できるので、防止片３１０、５１０を待機状態の姿勢に維持できる場合がある。
【００９５】
また、遊技領域１２４に導入された遊技球１０１と接触して該遊技球１０１が導入部２０５ａから誘導部２０５に戻ることを防止する接触部（上記実施形態では、球戻り防止部３１４、５１４）と、回転中心３１６、５１６を挟んで接触部３１４、５１４の反対側に、防止片３１０、５１０を導入部２０５ａを閉鎖する方向に付勢するための重り部（上記実施形態では、振り子部３１２、５１２）と、を含んで防止片３１０、５１０が構成され、誘導部２０５により誘導された遊技球１０１が逆流防止手段３００、５００に接触すると、所定の回転中心３１６、５１６で回転して導入部２０５ａを開放するとともに、重り部３１２、５１２が誘導部２０５に侵入するように構成している。
【００９６】
このように、重り部３１２、５１２が誘導部２０５に侵入する程度まで逆流防止手段３００、５００を誘導部２０５に近づけて設けたことで、遊技領域１２４を大きくすることができる場合がある。
【００９７】
また、第１、４の実施形態では、移動する遊技球１０１の移動方向を変化させる複数の遊技釘２３８を遊技領域１２４に設け、複数の遊技釘２３８のうちの１または複数の遊技釘２３８により接触防止手段３４０、７２２が構成されている。
【００９８】
このような構成とすることで、接触防止手段３４０、７２２の位置の微調整を行なうことができる場合がある。
【００９９】
また、上記各実施形態に係るパチンコ機１００では、球戻り防止部材３００、５００（揺動部材３１０、５１０）は、球戻り防止部３１４、５１４と振り子部３１２、５１２との間に屈曲を備え、振り子部３１２、５１２は動作状態において、発射球通路２０５に突出し、発射球通路を遊技球１０１の直径以下に狭めるように構成されている。
【０１００】
このような構成とすることで、球戻り防止部材３００、５００をコンパクトに構成することが可能となり、遊技領域１２４を圧迫しないようにすることができる場合がある。
【０１０１】
また、第１の実施形態では、接触防止部（第１の実施形態では、防護柵３４０）は、遊技球１０１の直径以下の間隔に配置された複数の遊技釘２３８から構成されている。このような構成とすることで、接触防止部３４０をコンパクト且つ安価に構成しながらも、遊技球１０１の球戻り防止部材３００、５００への衝突を防止することができる場合がある。
【０１０２】
また、第２、３の実施形態では、接触防止部（第２、３の実施形態では、防護壁５２２、６２２）は、内レール２０４から構成（一体的に構成）されている。さらに、接触防止部５２２、６２２を、センター役物（上記実施形態では、演出装置２０６）から構成（一体的に構成）するようにしてもよい。このような構成とすることで、遊技領域１２４を圧迫することなく、接触防止部５２２、６２２を構成し、遊技盤２００に配置することができる場合がある。
【０１０３】
また、第３の実施形態では、接触防止部６２２は、球戻り防止部材５００（揺動部材５１０）との接触により球戻り防止部５１４の開放状態を規制し、接触する位置に緩衝部６２２ａを備えている。このような構成とすることで、各部材を保護し、耐久性を高めることができる。
【０１０４】
また、第３の実施形態では、接触防止部６２２は、球戻り防止部材５００（揺動部材５１０）の可動領域と重畳して備えられ、遊技球１０１を遊技領域１２４下部へと誘導する傾斜を備えている。このような構成とすることで、遊技球１０１を、球戻り防止部５１４と防護壁５２２の間に噛み込ませることなく、スムーズに下方に向けて誘導することができる場合がある。
【０１０５】
また、第４の実施形態では、接触防止部（第４の実施形態では防護部７２２）は、球戻り防止部材５００の近傍かつ球戻り防止部材５００の最下端よりも下方に備えられている。このような構成とすることで、遊技領域１２４を流下する遊技球１０１がイレギュラーな転動をした場合の球戻り防止部材５００への影響を排除することができる場合がある。
【０１０６】
なお、本発明に係る遊技台は、上記した実施形態に限定されるものではなく、本発明の要旨を逸脱しない範囲内において種々変更を加え得ることは勿論である。例えば、本発明は、上記パチンコ機１００（１種）以外に、パチンコ機（２種、３種）、封入式パチンコ機、およびパチロット等にも適用することができるし、アレンジボール遊技機、じゃん球遊技機、スマートボール等にも適用することができる。
【０１０７】
また、本発明の実施形態に記載された作用および効果は、本発明から生じる最も好適な作用および効果を列挙したに過ぎず、本発明による作用および効果は、本発明の実施形態に記載されたものに限定されるものではない。
【産業上の利用可能性】
【０１０８】
本発明の遊技台は、スロットマシンや遊技機（パチンコ等）に代表される遊技台の分野で特に利用することができる。
【符号の説明】
【０１０９】
１００  パチンコ機
１０１  遊技球
１１０  発射装置
１２４  遊技領域
１５２  払出装置
２０５  発射球通路
２２６  一般入賞口
２３８  遊技釘
３００、５００  球戻り防止部材
３１０、５１０  揺動部材
３１２、５１２  振り子部
３１４、５１４  球戻り防止部
３１６、５１６  支軸
３２４、５２４  姿勢維持部
３４０  防護柵
５２２、６２２  防護壁
７２２  防護部
【図１】
2011067496.tif 000003
【図２】
2011067496.tif 000004
【図３】
2011067496.tif 000005
【図４】
2011067496.tif 000006
【図５】
2011067496.tif 000007
【図６】
2011067496.tif 000008
【図７】
2011067496.tif 000009
【図８】
2011067496.tif 000010
【図９】
2011067496.tif 000011
【図１０】
2011067496.tif 000012
【図１１】
2011067496.tif 000013